(57)【要約】【課題】簡易な構造で、防塵性と防水性に優れ、効率よく照光できる照光式スイッチを提供する。【解決手段】照光式スイッチ１０は、ＬＥＤ１４と、基板１６と、基台１８と、天板２０と、可動接点２２を備えている。ＬＥＤ１４は、天板２０の中央部の上に設けられている。基板１６は、第一固定接点２４を上面に備えている。基台１８は、基板１６の上に設けられている。天板２０は、両面ＦＰＣから構成されており、第一固定接点２４および可動接点２２の収容空間Ｒを外気と遮断するように、基台１８の上に設けられている。天板２０のの導線層によって、ＬＥＤ１４に給電するための配線２１が形成されている。天板２０の下面の導線層によって、押圧部材３０が形成されている。上方からＬＥＤ１４を押圧すると、押圧部材３０を介して可動接点２２の頂部２２ａが押圧され、可動接点２２が下方に弾性変形して第一固定接点２４と接触する。【選択図】図１
2018101461.tif 000002
【特許請求の範囲】
【請求項１】
固定接点を上面に備える基板と、
前記固定接点と対向するように前記基板上に設けられ、頂部が上方から押圧されたときに下方に弾性変形して前記固定接点と接触する弾性導体板と、
少なくとも中央部が可撓であり、前記固定接点および前記弾性導体板の収容空間を外気と遮断するように設けられた天板と、
前記天板の前記中央部の上に設けられた光源と、
を有する照光式スイッチ。
【請求項２】
請求項１において、
前記収容空間を前記天板とともに確保する環状の基台を、前記基板と前記天板との間にさらに有する照光式スイッチ。
【請求項３】
請求項２において、
前記光源に給電するための配線が、前記天板の上面、前記天板の外側面、および前記基台の外側面を経由して、前記基板の外側面まで電気的に接続されている照光式スイッチ。
【請求項４】
請求項１から３のいずれかにおいて、
前記弾性導体板の頂部の上に、押圧部材をさらに有する照光式スイッチ。
【請求項５】
請求項４において、
前記天板が両面ＦＰＣまたは下面に導体層を備える片面ＦＰＣから構成されており、
前記天板の下面の導線層によって、前記押圧部材が形成されている照光式スイッチ。
【請求項６】
請求項１から５のいずれかにおいて、
前記天板が両面ＦＰＣから構成されており、
前記天板の上面の導体層によって、前記光源に給電するための配線が形成されている照光式スイッチ。
【請求項７】
請求項１から６のいずれかにおいて、
前記光源を下方に押圧する透光性の押し子を、前記光源の上にさらに有する照光式スイッチ。
【発明の詳細な説明】
【技術分野】
【０００１】
本発明は、光源からの光を効率的に利用できる照光式スイッチに関するものである。
【背景技術】
【０００２】
基板の中心に光源が、この光源の周囲に固定接点がそれぞれ設けられ、この基板の上方に、中心に照射孔が形成された突起部を有するドーム型の可動接片が設けられ、光源からの光が中心上方に照射される照光式スイッチが知られている（特許文献１）。しかしながら、特許文献１に記載された照光式スイッチでは、光源からの光が直上方向にしか照射されず、その周囲の光は可動接片によって遮られるので、照光効率が悪い。また、この照光式スイッチでは、固定接点と可動接片の接触部分が気密でないため、埃や水分等によって接触不良を引き起こすおそれがある。
【０００３】
可動接点の上方に発光素子を設けた照光式のプッシュスイッチも知られている（特許文献２）。しかしながら、特許文献２に記載されたプッシュスイッチは、特許文献２の図２からわかるように、直上方向への照光と比べて、斜め上方向への照光が弱い。また、可動接点と固定接点が気密空間に置かれていないため、防塵性と防水性が劣る。さらに、可動接点が固定接点に確実に接触するためには、プッシュボタンに設けられた絶縁アームや、プッシュボタンと枠体をつないでいる連結部の配置と形状等を工夫しなければならない。
【先行技術文献】
【特許文献】
【０００４】
【特許文献１】特開２０１５−２３０８５８号公報
【特許文献２】特開平５−１３５６５１号公報
【発明の概要】
【発明が解決しようとする課題】
【０００５】
本発明はこのような事情に鑑みてなされたものであり、簡易な構造で、防塵性と防水性に優れ、効率よく照光できる照光式スイッチを提供することを目的とする。
【課題を解決するための手段】
【０００６】
本発明の照光式スイッチは、固定接点を上面に備える基板と、固定接点と対向するように基板上に設けられ、頂部が上方から押圧されたときに下方に弾性変形して固定接点と接触する弾性導体板と、少なくとも中央部が可撓であり、固定接点および弾性導体板の収容空間を外気と遮断するように設けられた天板と、天板の中央部の上に設けられた光源とを有している。
【０００７】
本発明の照光式スイッチにおいて、収容空間を天板とともに確保する環状の基台を、基板と天板との間にさらに有していてもよい。本発明の照光式スイッチにおいて、光源に給電するための配線が、天板の上面、天板の外側面、および基台の外側面を経由して、基板の外側面まで電気的に接続されていることが好ましい。本発明の照光式スイッチにおいて、弾性導体板の頂部の上に、押圧部材をさらに有していることが好ましい。
【０００８】
本発明の照光式スイッチにおいて、天板が両面ＦＰＣまたは下面に導体層を備える片面ＦＰＣから構成されており、天板の下面の導線層によって、押圧部材が形成されていることが好ましい。本発明の照光式スイッチにおいて、天板が両面ＦＰＣから構成されており、天板の上面の導体層によって、光源に給電するための配線が形成されていることが好ましい。本発明の照光式スイッチにおいて、光源を下方に押圧する透光性の押し子を、光源の上にさらに有していてもよい。
【発明の効果】
【０００９】
本発明の照光式スイッチは、固定接点および可動接点が気密空間に設けられており、防塵防水性に優れているので、埃や水を原因とする両接点の接触不良が抑えられる。また、本発明の照光式スイッチは、光源が天板の上に設けられているので、簡易な構造でありながら、効率よく照光できる。
【図面の簡単な説明】
【００１０】
【図１】本発明の実施形態に係る照光式スイッチの断面模式図。
【図２】本発明の実施形態に係る照光式スイッチの操作時の断面模式図。
【図３】本発明の実施形態に係る照光式スイッチの天板の底面模式図。
【図４】本発明の実施形態に係る照光式スイッチの分解模式図。
【図５】本発明の変形例に係る照光式スイッチの操作時の断面模式図。
【発明を実施するための形態】
【００１１】
以下、本発明の照光式スイッチについて、図面を参照しながら実施形態に基づいて説明する。なお、図面は、照光式スイッチ、照光式スイッチの構成部材、および照光式スイッチの周辺部材を模式的に表したものであり、これらの実物の寸法および寸法比は、図面上の寸法および寸法比と必ずしも一致していない。また、特にことわらない限り、本明細書では便宜上、図１に示す照光式スイッチの向きを基準に、「上」、「頂」、「下」、および「底」などの方向を表す。なお、重複説明は適宜省略し、同一部材には同一符号を付与することがある。
【００１２】
図１は、本発明の実施形態に係る照光式スイッチ１０の断面を示している。図２は、照光式スイッチ１０の操作時の断面を示している。照光式スイッチ１０は、電子機器の構成部材である回路基板に実装されて、電子機器の操作や入出力などを行う。照光式スイッチ１０は、中空板状の筐体１２の上に、光源であるＬＥＤ１４が設けられている。筐体１２の底面は平坦な長方形であり、上面は凸状の長方形である。なお、筐体１２の形状は、特に限定されない。照光式スイッチ１０は、ＬＥＤ１４と、基板１６と、基台１８と、天板２０と、弾性導体板である可動接点２２を備えている。基板１６、基台１８、および天板２０で、筐体１２を構成している。
【００１３】
ＬＥＤ１４は、天板２０の中央部の上に設けられている。本実施形態では、天板２０が両面ＦＰＣから構成されており、天板２０の上面の導体層によって、ＬＥＤ１４に給電するための配線２１が形成されている。なお、ＦＰＣ（Ｆｌｅｘｉｂｌｅ  Ｐｒｉｎｔｅｄ  Ｃｉｒｃｕｉｔｓ）は、ポリイミドのような可撓性を備える絶縁性の薄膜と、金属箔等の導電性の薄膜を貼り合わせた部材である。絶縁性の薄膜の両方の面に導電性の薄膜を貼った部材が両面ＦＰＣであり、絶縁性の薄膜の片方の面に導電性の薄膜を貼った部材が片面ＦＰＣである。本実施形態では、天板２０の上面の導体層によって配線２１が形成されているが、これに代えて、天板上にＬＥＤ１４に給電するための導線を設けてもよい。
【００１４】
本実施形態では、天板２０が両面ＦＰＣから構成されているため、天板２０の全体が可撓であるが、天板２０の少なくとも中央部、すなわち少なくともＬＥＤ１４が載っている部分が可撓であればよい。ＬＥＤ１４に給電するための配線２１は、図１に示すように、天板２０の上面から、天板２０の外側面に形成された導体層２０ａと、基台１８の外側面に形成された導体層１８ａを経由して、基板１６の外側面に形成された導体層１６ａに電気的に接続されている。なお、導体層１６ａ，１８ａ，２０ａは、例えばメッキや樹脂のインサート成型等によって形成されている。
【００１５】
本実施形態では、さらに、基板１６の外側面に形成された導体層１６ａが、基板１６の下面まで延伸している。このため、電子機器の回路基板上に照光式スイッチ１０が実装されたとき、回路基板からＬＥＤ１４に確実に給電できる。なお、ＬＥＤ１４の点灯と消灯は、照光式スイッチ１０の操作に同期させてもよいし、照光式スイッチ１０の操作と無関係に行ってもよい。
【００１６】
基台１８は、天板２０とともに収容空間Ｒを確保するための環状の部材で、樹脂等の絶縁体から構成されている。基台１８は、基板１６と天板２０との間に設けられている。基台１８は、異方性の導電性接着剤２８によって、基板１６上に接着されている。導電性接着剤２８は、上下方向に導通し、面方向に絶縁するように接着する接着剤である。したがって、基台１８の外側面の導体層１８ａは、基板１６の外側面の導体層１６ａと電気的に接続されている。同様にして、天板２０は、異方性の導電性接着剤２８によって基台１８に接着されており、導体層２０ａと導体層１８ａが電気的に接続されている。
【００１７】
基板１６の上面には、第一固定接点２４と第二固定接点２６が設けられている。可動接点２２は、ドーム形状を備える金属板であり、中央で第一固定接点２４と対向するように、かつ縁部が第二固定接点２６に接するように、基板１６上に設けられている。可動接点２２は、頂部２２ａが上方から押圧されたときに下方に弾性変形して、第一固定接点２４と接触する。
【００１８】
可動接点２２、第一固定接点２４、および第二固定接点２６は、筐体１２内の収容空間Ｒに設けられている。収容空間Ｒは、塵等が侵入しないように、外気と遮断されている。すなわち、収容空間Ｒは、基板１６、基台１８、および天板２０によって密閉されている。なお、基台１８を設けずに、収容空間Ｒが密閉されるように、天板２０を基板１６の上に設けてもよい。
【００１９】
図２に示すように、ＬＥＤ１４が上方から下方に押圧されたとき、可動接点２２の頂部２２ａも上方から下方に押圧され、可動接点２２の中央が下方に弾性変形し、第一固定接点２４と接触する。このとき、可動接点２２を介して第一固定接点２４と第二固定接点２６が導通し、照光式スイッチ１０が作動する。一般に、ＬＥＤ１４の破壊荷重は１５０Ｎ以上であるのに対して、照光式スイッチ１０の操作荷重は１〜５Ｎ程度であるため、ＬＥＤ１４を押圧して照光式スイッチ１０を操作しても、ＬＥＤ１４は破壊されない。なお、可動接点２２が第一固定接点２４と接触したときに、照光式スイッチ１０が実装されている回路基板の所定の電気回路が閉じるように構成されていれば、第二固定接点２６を設けなくてもよい。
【００２０】
上方からの頂部２２ａへの押圧が解除されたときは、図１に示すように、可動接点２２がドーム形状に復元して、第一固定接点２４と第二固定接点２６が非導通となる。照光式スイッチ１０は、第一固定接点２４と第二固定接点２６の導通と非導通に対応してＯＮ状態とＯＦＦ状態になるようにしてもよいし、第一固定接点２４と第二固定接点２６の導通によってＯＮ状態となり、いったん非導通になった後の次の導通によってＯＦＦ状態になるのを繰り返すようにしてもよい。
【００２１】
照光式スイッチ１０は、可動接点２２の頂部２２ａの上に、押圧部材が設けられていることが好ましい。押圧部材を設けることによって、ＬＥＤ１４を下方に押圧したときに、天板２０と押圧部材を介して、押圧力が可動接点２２の頂部２２ａに効率よく伝わるからである。天板２０が両面ＦＰＣまたは下面に導体層を備える片面ＦＰＣから構成されている場合、エッチング処理等によって、下面の導線層で押圧部材を形成することができる。下面の導線層で押圧部材を形成すれば、可動接点２２の頂部２２ａの上に、押圧部材を簡易に設けることができる。
【００２２】
図３は、天板２０の底面を示している。図４は、照光式スイッチ１０の分解図である。本実施形態では、天板２０が両面ＦＰＣから構成されているため、天板２０は、上下方向に弾性変形する可撓性を有している。また、天板２０は、ＬＥＤ１４に給電するための配線２１と、可動接点２２の頂部２２ａを押圧する押圧部材３０を備えている。このように、配線２１と押圧部材３０が天板２０に形成されているため、照光式スイッチ１０の部品数を減らすことができ、照光式スイッチ１０のコストダウンや量産での歩留まり向上が可能となる。
【００２３】
図５は、本発明の変形例に係る照光式スイッチ４０を示している。照光式スイッチ４０は、ＬＥＤ１４を下方に押圧する透光性の押し子４２を、ＬＥＤ１４の上にさらに備えている。このため、ＬＥＤ１４を直接押圧する場合と比べて、押圧する位置がわかりやすくなる。例えば、車載の電子機器に照光式スイッチ４０を用いれば、運転手がこの電子機器を操作するとき、電子機器を凝視しなくても操作できる。
【００２４】
また、ＬＥＤ１４を直接押圧する場合と比べて、弱い力で可動接点２２の頂部２２ａを確実に押圧することができる。また、押し子４２が透光性を備えているので、押し子４２でＬＥＤ１４を覆うことによる光の強度の減少を抑えることができる。さらに、押圧部材３０が、可動接点２２の力点である頂部２２ａの上に配置されているので、図５に示すように、押し子４２の配置が中央から多少ずれていても、常に可動接点２２の頂部２２ａを押圧することができる。
【符号の説明】
【００２５】
１０  照光式スイッチ
１２  筐体
１４  ＬＥＤ
１６  基板
１６ａ  導体層
１８  基台
１８ａ  導体層
２０  天板
２０ａ  導体層
２１  配線
２２  可動接点
２２ａ  頂部
２４  第一固定接点
２６  第二固定接点
２８  導電性接着剤
３０  押圧部材
４０  照光式スイッチ
４２  押し子
Ｒ    収容空間
【図１】
2018101461.tif 000003
【図２】
2018101461.tif 000004
【図３】
2018101461.tif 000005
【図４】
2018101461.tif 000006
【図５】
2018101461.tif 000007